(57)【要約】【課題】  身近に帯有する各種のキー類を適切に保持できるようにすると共に、これを利用して自動車から降りる場合その他の場合に生じる静電気を安全に放電することのできるキーホルダを提供すること。【解決手段】  小ビーズ７ａ、中ビーズ７ｂ及び大ビーズ７ｃで外装したワイヤ１と、その一端に電気的に接続した鰐口クリップ２と、ワイヤ１の他端に電気的に接続した導電キャップ３と、その下部に装入した永久磁石４と、導電キャップ３の上部に固定したキャラクタ体５と、これに鎖を介して結合したキー保持用のリング部材６とで構成したキーホルダ。【選択図】  図１
0003104665.tif 000002
【実用新案登録請求の範囲】
【請求項１】
外装材を配した導電体であるワイヤと、
該ワイヤの一端に電気的に接続した接触放電手段と、
該ワイヤの他端に接続した導電キャップであって、下部に永久磁石を保持した導電キャップと、
該導電キャップの上部に配したキャラクタ体であって、鎖部材を介してキー保持用のリング部材を付属させたキャラクタ体と、
で構成したキーホルダ。
【請求項２】
前記外装材としてビーズを採用し、複数のビーズを前記ワイヤを貫通させてこれに連設外装した請求項１のキーホルダ。
【請求項３】
前記接触放電手段として鰐口クリップを採用した請求項１又は２のキーホルダ。
【考案の詳細な説明】
【技術分野】
【０００１】  本考案は、各種のキーを保持する機能と共に、携帯者の身体又はその身近な種々の部材に帯電した静電気を放電させることが可能な静電気の放電機能を備えたキーホルダに関する。
【背景技術】
【０００２】  キーホルダは、自宅や事務所その他の扉の施錠又は解錠用のキー、自家用車その他の自動車のドアの施錠・解錠や起動用のキーその他の種々のキー類をこれに保持させて、纏めて数個のそれを保持したり、或いはこれに保持させることにより紛失等を避け易くするなどに便利なものであり、多くの場合、キーはこれに保持させて携帯している。【０００３】  このようなキーホルダとしては、紐材を引き出し・引き戻し自在に設け、引き出し時にこれに連動して振動を発生し、かつ同時に音響を発するように構成し、音と振動とによって娯楽性を高めたキーホルダ（特許文献１）、二枚の板材からなり、その間にピンを介してキーを出し入れ回動自在に保持し、腕時計や腰ベルト等に取り付けて携帯することができるキーホルダ（特許文献２）、伸縮可能な紐部材の一端に、その伸張に伴う引張力によって通電される点灯部材と、キー等を着脱自在に取付ける接続部材を備えたキャラクタ部材とを取り付け、他端に衣服などに対する取付部材を取り付けたキーホルダ（特許文献３）、上半ケーシング及び下半ケーシングを対向接合して携帯電話機に類似する外観を持った本体を構成し、該本体の下部にキー保持用の吊り輪を設け、かつその上部に接合部材を設け、この接合部材に種々の飾り付け部材を着脱自在に取り付け得るようにしたキーホルダ（特許文献４）等が提案されている。【０００４】  これらは、それぞれキーホルダとしての機能の外に、娯楽性を高めるとか、腰ベルト等に取り付けることを可能にして携帯しやすさを高めるとかの工夫を凝らしたものであり、それぞれに特有の利点を認めることはできる。【０００５】  前記のように、この種のキーホルダは、事務所や工場、或いは住居の扉の解錠や施錠のためのキー、若しくは自動車のエンジン起動用及びドアの施錠・解錠用のキー等を紛失の恐れなく携帯するためなどに使用されるものであるが、特に冬季には、解錠の対象となっている錠等を備えた自動車や事務所等では静電気の発生の虞があり、人と自動車や扉の取っ手若しくはノブ等との間での静電気の放電による不快感が問題となっている。例えば、自動車では、降車の際にシートと人の身体との間の摩擦等により静電気が発生し、降車する人が当該の自動車のドア等に接触した際に放電して、人にこれによる痛みを与える等である。または、カーペット類の敷いてある事務所等では、履き物によっては、歩行中に静電気を生じることがあり、外出時等にそのドアのノブ等に手を触れた際にその放電が起こり、人にこれによる痛みを与える等である。【０００６】  このような人の手の先等と自動車のドア等との間での放電は、予め何らかの手段で放電した上で、これらに接触するようにすれば、痛みを伴う放電現象の問題は生じないわけであるが、このような先だって行う放電のための手段として特別な手段は提供されていない。例えば、このような場合に、身近に保持しているキーホルダを放電手段として利用できれば好都合であるが、前記の特許文献１〜４を含め、そのような例は見られない。【０００７】
【特許文献１】登録実用新案第３０６７６２４号公報
【特許文献２】登録実用新案第３０６１４９０号公報
【特許文献３】登録実用新案第３０６５１７３号公報
【特許文献４】登録実用新案第３０６１７７４号公報
【考案の開示】
【考案が解決しようとする課題】
【０００８】  本考案は、前述の不都合を解消し、日頃必要とし、身近に帯有する各種のキーを適切に保持できるようにすると共に、これを利用して自動車から降りる場合その他の場合に生じる静電気を安全に放電することのできるキーホルダを提供することを解決の課題とする。
【課題を解決するための手段】
【０００９】  本考案の１は、外装材を配した導電体であるワイヤと、
該ワイヤの一端に電気的に接続した接触放電手段と、
該ワイヤの他端に接続した導電キャップであって、下部に永久磁石を保持した導電キャップと、
該導電キャップの上部に配したキャラクタ体であって、鎖部材を介してキー保持用のリング部材を付属させたキャラクタ体と、
で構成したキーホルダである。【００１０】  本考案の２は、本考案の１のキーホルダに於いて、前記外装材としてビーズを採用し、複数のビーズを前記ワイヤを貫通させてこれに連設外装したものである。【００１１】  本考案の３は、本考案の１又は２のキーホルダに於いて、前記接触放電手段として鰐口クリップを採用したものである。
【考案の効果】
【００１２】  本考案の１のキーホルダによれば、前記キー保持用のリング部材に所望のキーを保持させることにより、キーの保持が可能であり、他方で、必要に応じて、身体等に帯電した静電気の放電に使用し、手先等からの放電による痛みを解消することができる。【００１３】  例えば、自動車から降りる場合は、前記キャラクタ体と共に前記導電キャップを握った上で、前記接触放電手段を該自動車のドアの一部等に接触させれば、該接触放電手段を介して身体に帯電した静電気が放電し、降車する人は放電に伴う痛み等を感じないで済むこととなる。なお導電キャップには永久磁石を配してあるので、保管しておく場合には、鉄系の金属等の磁性体に磁気吸着させてこれを保持しておくことができる利点もある。【００１４】  本考案の２のキーホルダによれば、前記ワイヤに装飾的な効果を求めることが可能になり、キーの保持及び静電気の放電による実用的な効果の外に審美的な効果も求めることが可能となる。【００１５】  本考案の３のキーホルダによれば、接触放電手段として鰐口クリップを採用したので、放電対象の種々の部位に必要に応じて、これによって挟んで一時固定することが可能となる。静電気の発生する部位間の一方に、それが磁性体であれば、前記永久磁石によって吸着固定し、他方は該鰐口クリップによって固定することにより、電気的に一時短絡状態となり、発生する静電気が直ちに放電される利点を得ることができる。
【考案を実施するための最良の形態】
【００１６】  以下図面を参照しながら考案を実施するための最良の形態を説明する。【００１７】  この実施の形態のキーホルダは、図１及び図２（ａ）に示すように、基本的に、導電体であるワイヤ１と、鰐口クリップ２と、導電キャップ３と、永久磁石４と、キャラクタ体５と、キー保持用のリング部材６とで構成したものである。【００１８】  前記ワイヤ１は、静電気をこれを通じて放電するための導電路を構成する部材であるから、既述のように、当然導電体である必要があり、かつ取り扱い上の都合及び放電対象との関係から、容易に自由な方向に折曲可能なフレキシビリティに富んだものであることが必要である。それ故、このワイヤ１としては複数の銅線を撚って構成した撚り線が適当であり、この例でもそれを採用したものである。この例では、長さとしては３０ｃｍのそれを採用した。【００１９】  該ワイヤ１には、特に図１に示すように、この例では、外装材として多数の小径の小ビーズ７ａ、７ａ…、中程度の径の中ビーズ７ｂ、７ｂ…及び一個の大径の大ビーズ７ｃを連設外装する。大ビーズ７ｃはワイヤ１のほぼ中央に配置し、小ビーズ７ａ、７ａ…と中ビーズ７ｂ、７ｂ…とは交互に配置しつつ、大ビーズ７ｃの両側に配置することとし、ワイヤ１の全体をこれらでカバーするように構成する。小ビーズ７ａ、７ａ…、中ビーズ７ｂ、７ｂ…及び大ビーズ７ｃは、いずれもそれらに形成してある貫通孔にワイヤ１を貫通させることにより、これに外装するのは云うまでもない。【００２０】  前記鰐口クリップ２は、図１に示すように、導電性の金属で構成した鰐口状の挟持部分２ａとその後部の開閉操作部２ｂとからなり、後部の開閉操作部２ｂは絶縁部材であるプラスチック材で被覆してあるものである。後部の開閉操作部２ｂの後端には金属部分が露出しており、この部位に前記ワイヤ１の一端を接続し、相互を電気的に結合する。【００２１】  前記導電キャップ３は、特に図２（ａ）に示すように、その内部に前記永久磁石４を内装し得る、文字通り、導電性のキャップ部材であれば、形状及び材質に関して特定のそれに限定されない。この例では、平面から見て円形下向き容器状の導電性金属で構成し、下向きの開口部からこの中に前記永久磁石４を装入固定し、更にこの上にキャラクタ体５を固設したものである。【００２２】  前記永久磁石４は、図４に示すように、前記導電キャップ３に装入可能なリング状のそれを採用し、該導電キャップ３に下方の開口部から装入して接着剤により固定する。前記キャラクタ体５は、該導電性キャップ３の上面中央に配した上で、その下方の永久磁石４の中央部の空間からねじ込んだビス９によって該部位に固定する。【００２３】  前記導電キャップ３には更に前記ワイヤ１の他端を電気的に結合する。この結合は、自由な態様で行うことができるが、この例では、該導電キャップ３の上面にキャラクタ体５を固定する際に、該ワイヤ１の該当する端部に固設したリング状端子部材１０を該キャラクタ体５と該導電キャップ３の上面との間に挟み込み、更に前記ビス９を該導電キャップ３の下部の永久磁石４の下方から該リング状端子部材１０のリング中を貫通させつつキャラクタ体５にねじ込むことで、３者を同時に結合固定するようにし��ものである。【００２４】  前記キャラクタ体５には、鎖８を介して前記キー保持用のリング部材６を接続する。該リング部材６としては、キーの着脱が容易でありつつ、無用にリングからキーが離脱することのないものであれば、自由に種々のそれを採用することができる。この例では、特に図２（ｂ）に示すように、ほぼ２ターンに巻いたコイル状の構成の部材を採用した。その末端を他の部位から引き離しながらキーの摘み部分に開口してある孔に該末端を装入し、コイル状部材上をほぼ２ターン分だけスライド移動させると、これにキーを保持させた状態となる。このリング部材６はバネ材で構成し、外力が加わらなければ、図２（ｂ）に示すように、いずれの末端も他の部位に密着しており、キーがこれから離脱することがないようになっている。これは、この種のものに採用される一般的な構成である。【００２５】  なおこの例では、キャラクタ体５としてイルカ型のプラスチック部材を採用した。勿論、装飾体であるから、どのようなものを採用するのも自由である。【００２６】  従ってこの実施の形態のキーホルダによれば、前記キー保持用のリング部材６に、前記したようにして、所望のキーを保持させてキーの保持をさせることが可能であり、かつ必要に応じて、これを利用して、身体又は各種物品に帯電した静電気を放電し、特に身体からの放電の場合には、手先等からの放電を回避することにより、それによって生じる痛みを回避することができる。【００２７】  自動車から降りる場合には、シートから身体が離脱することにともなって静電気が発生し、これが自動車側及び身体に帯電することとなる。そのため、何の処置も執らずに、直接に手で開放したドアに触れたりすると、その直前に、手とドアとの間で放電が生じ、手に瞬間的な痛みを生じることとなる。【００２８】  このような場合に、例えば、一方の手でこのキーホルダの導電キャップ３を握り、他方の手で鰐口クリップ２の先端を自動車のドアに接触させれば、この瞬間に身体に帯電していた静電気を、前記導電キャップ３、前記ワイヤ１及び該鰐口クリップ２を介して放電することができる。このとき身体から該キーホルダへの静電気の移動は広い面積を通じて行われるため、特別の痛みを感じずに行うことが可能となるものであり、放電に伴う痛みを回避して自動車から降りることができることとなる。【００２９】  カーペット類の敷いてある事務所等では、前記したように、履き物によっては、歩行中に静電気を生じることがあり、部屋から出る際等にドアのノブ等に手を触れると、その瞬間に放電が起こり、人にこれによる不快な痛みを与えることがある。【００３０】  このような場合にも、一方の手でこのキーホルダの導電キャップ３を握り、他方の手で若しくは同じ手で鰐口クリップ２の後部を掴んでその先端を該ドアのノブに接触させれば、この瞬間に身体に帯電していた静電気を、前記導電キャップ３、前記ワイヤ１及び該鰐口クリップ２を介して放電することができる。こうして、同様にして、特別の痛みを感じずにノブによるドアの開閉動作を行うことが可能となるものであり、放電に伴う痛みを回避してドアを開けることができることとなる。【００３１】  なお前記導電キャップ３には永久磁石４が配して���るので、このキーホルダを保管しておく場合には、鉄系等の磁性金属に磁気吸着させてこれを保持しておくことができる。それ故、保管に便利である。【００３２】  二つの物品間で静電気を放電させようとする場合にも、一方の物品に、前記永久磁石４により磁気吸着させることができるため好都合である。この場合には更に他方の物品には、前記鰐口クリップ２で接続することも可能であり、こうすれば、常時電気的に短絡状態となり、発生する静電気が直ちに放電されることとなる。【００３３】  前記ワイヤ１には、小ビーズ７ａ、７ａ…、中ビーズ７ｂ、７ｂ…及び犬ビーズ７ｃが配してあり、これによって装飾的な効果を求めることが可能になり、キーの保持及び静電気の放電による実用的な効果に加えて審美的な効果も求めることができる。
【図面の簡単な説明】
【００３４】
【図１】一実施形態のキーホルダの概略斜視図。
【図２】（ａ）はワイヤと導電キャップとの接続部付近の分解斜視図、（ｂ）はリング部材の拡大正面図。
【符号の説明】
【００３５】  １    ワイヤ
２    鰐口クリップ
２ａ  挟持部分
２ｂ  開閉操作部
３    導電キャップ
４    永久磁石
５    キャラクタ体
６    リング部材
７ａ  小ビーズ
７ｂ  中ビーズ
７ｃ  大ビーズ
８    鎖
９    ビス
１０  リング状端子部材
【図１】
0003104665.tif 000003
【図２】
0003104665.tif 000004